(57)【特許請求の範囲】
【請求項１】
フォーカス調整可能な光学系を保持する鏡胴本体の外周部に回動可能に配置されるフォーカスリングであって、該フォーカスリングの回転位置に対してフォーカス調整用のフォーカスレンズの光軸方向に対する位置を相対的な位置関係で移動させる相対位置指示方式のフォーカス操作と、絶対的な位置関係で移動させる絶対位置指示方式のフォーカス操作のうち、いずれか一方の指示方式のフォーカス操作に使用される第１のフォーカスリングと、
フォーカス調整可能な光学系を保持する鏡胴本体の外周部に回動可能に配置されるフォーカスリングであって、前記相対位置指示方式のフォーカス操作と、前記絶対位置指示方式のフォーカス操作のうち、前記第１のフォーカスリングと異なる指示方式のフォーカス操作に使用される第２のフォーカスリングと、
前記第１のフォーカスリングを光軸方向にスライド可能に支持する支持手段と、
前記支持手段によりスライド可能に支持された前記第１のフォーカスリングを第１の位置から第２の位置にスライドさせた場合に、前記第１のフォーカスリングと第２のフォーカスリングとを連結されていない状態から連結された状態にする連結手段と、
前記第２のフォーカスリングの外周部を覆うカバー部材と、
を備えたことを特徴とするレンズ鏡胴。
【請求項２】
前記第１のフォーカスリングは、前記相対位置指示方式のフォーカス操作に使用されると共に、前記第２のフォーカスリングは、前記絶対位置指示方式のフォーカス操作に使用され、
前記カバー部材には、前記第２のフォーカスリングに記された撮影距離の表示を外部から視認するための開口部が形成されたことを特徴とする請求項１のレンズ鏡胴。
【請求項３】
前記第１のフォーカスリングが前記第１の位置に設定されている場合に、前記開口部を遮蔽する遮蔽手段を備えたことを特徴とする請求項２のレンズ鏡胴。
【発明の詳細な説明】
【技術分野】
【０００１】
本発明はレンズ鏡胴に係り、特にフォーカス操作を行うためのフォーカスリングを備え、フォーカスリングの回転位置を電気的に検出してフォーカスレンズをフォーカスリングの回転位置に応じてモータで駆動する機構を備えたレンズ鏡胴に関する。
【背景技術】
【０００２】
一般に民生用のビデオカメラでは、オートフォーカス機能を搭載し、オートフォーカスとマニュアルフォーカスとを切り替えてフォーカス調整を行うことができるようになっている。そのため、フォーカス調整用のレンズ（フォーカスレンズ）はモータで駆動されるようになっており、マニュアルフォーカスは、例えばレンズ鏡胴に回動可能に設けられたフォーカスリングの回転位置を位置センサにより電気的に検出して、検出した回転位置に応じてモータによりフォーカスレンズを移動させることによって行われるようになっている。そして、フォーカスリングとフォーカスレンズとはメカ的に連動しない機構となっている（例えば、特許文献１参照）。
【０００３】
このようなビデオカメラで使用されるレンズ鏡胴では、フォーカスリングの回転位置を検出する位置センサとしてポテンショメータのような絶対位置検出型の位置センサではなく、エンコーダのような相対位置検出型の位置センサが用いられているものが多い。フォーカスリングも放送用や業務用で一般に使用されるレンズ鏡胴と異なり、至近端と無限遠端の範囲で回動範囲が規制されることなくエンドレスに回転できるようになっている。これによれば次のような利点がある。例えば、オートフォーカスでフォーカス調整を実行した際に、所望の被写体にピントがあっていなかった場合には、オートフォーカスからマニュアルフォーカスに切り替えてフォーカスリングによりフォーカス調整を行いたいという場合がある。このような場合、オートフォーカスからマニュアルフォーカスに切り替えた際に、その時点でのフォーカス位置を基準にしてマニュアルフォーカスに切り替えた後のフォーカスリングの操作量（回転変化量）に応じた変位量でフォーカスレンズが移動すると好適である。即ち、オートフォーカスにより設定されたフォーカス位置を有効に引き継いでマニュアルフォーカスでフォーカス位置を変更することができると、マニュアルフォーカスをオートフォーカスに対するフォーカスの補正手段等として利用すること等が可能となる。仮にフォーカスリングの回転位置の検出に絶対位置検出型の位置センサを使用し、且つ、フォーカスリングの回動範囲に制限（端）を設けたとすると、フォーカスリングを端の位置まで回転させてもフォーカスレンズを至近端又は無限遠端の位置まで移動させることができないという不具合が生じる。即ち、オートフォーカスからマニュアルフォーカスに切り替えたときにおける実際のフォーカス位置と、そのときのフォーカスリングの回転位置に対して本来設定されるべきフォーカス位置とにずれが生じる。そして、上記のようにマニュアルフォーカスに切り替えた後のフォーカスリングの操作量に応じた変位量でフォーカスレンズを移動させるようにすると、そのずれがその後のフォーカスリングの操作において保持されてしまう。そのため、フォーカスリングを回動範囲の端の位置まで操作してもフォーカスレンズが至近端又は無限遠端の位置まで移動しないという現象が生じる。これに対して、フォーカスリングの回転位置の検出に相対位置検出型の位置センサを使用し、且つ、フォーカスリングの回動範囲に制限（端）を設けないようにすると、上記のような不具合を回避することができる。
【０００４】
尚、このように相対位置検出型の位置センサにより回転位置が検出され、エンドレスで回動可能な無端のフォーカスリングを、フォーカスレンズの相対位置を指示する（フォーカスリングの回転位置に対してフォーカスレンズの位置を相対的な位置関係で移動させる）相対位置指示方式のフォーカスリングといい、それによるフォーカス操作を相対位置指示方式のフォーカス操作というものとする。一方、絶対位置検出型の位置センサにより回転位置が検出され、回動範囲に制限が設けられている（規制端を有する）フォーカスリングを、フォーカスレンズの絶対位置を指示する（フォーカスリングの回転位置に対してフォーカスレンズの位置を絶対的な位置関係で移動させる）絶対位置指示方式のフォーカスリングといい、それによるフォーカス操作を絶対位置指示方式のフォーカス操作というものとする。
【特許文献１】特開２００５−１２１７４５号公報
【発明の開示】
【発明が解決しようとする課題】
【０００５】
ところで、民生用として市販されているビデオカメラも高級機種になると、放送用又は業務用としても使用できる性能レベルとなっており、実際にテレビ放送用の取材等で使用されることが多くなってきている。一方、放送用又は業務用のビデオカメラ（テレビカメラ）を使用している本職のカメラマンはフォーカス調整をマニュアルフォーカスで行うことが多く、放送用等に使用される撮影レンズのレンズ鏡胴では一般的にフォーカスリングとフォーカスレンズとがメカ的に連動し、フォーカスレンズが至近端又は無限遠端の位置に達したときのフォーカスリングの回転位置にそれ以上の回転を規制する端が設けられている。そのため、本職のカメラマンは、フォーカスレンズが至近端又は無限遠端の位置に達したことをフォーカスリングが端に衝突したときの操作感によって認識することに慣れている。このような本職のカメラマンが上記のような相対位置指示方式のフォーカスリングを使用する場合には、フォーカスレンズが至近端又は無限遠端に到達したことをフォーカスリングの操作感によって認識することができないため、操作性が悪いという不具合があった。
【０００６】
そこで、民生用としてビデオカメラを使用する場合のフォーカスの操作性と、放送用等としてビデオカメラを使用する場合のフォーカスの操作性を考慮した一つの解決策として、相対位置指示方式と絶対位置指示方式の２つのフォーカスリングをレンズ鏡胴に設けておき、ユーザの好み等に応じてそれらのフォーカスリングを使い分けられるようにしておくことが考えられる。これによれば、主としてオートフォーカスを使用するユーザやマニュアルフォーカスをオートフォーカスによるフォーカス調整の補正手段として使用するユーザ等は相対位置指示方式のフォーカスリングを使用し、主としてマニュアルフォーカスを使用するユーザ（本職のカメラマン等）は絶対位置指示方式のフォーカスリングを使用することによって、どのようなユーザにとっても良好なフォーカス操作が可能となる。
【０００７】
しかしながら、１つのレンズ鏡胴に異なる指示方式のフォーカスリングがあると、ユーザが操作する意図のない指示方式のフォーカスリングを、他方のフォーカスリングと誤って操作したり、意図せずに触れて動かしてしまうなど、誤操作を招くというおそれがある。そのため、そのような誤操作を防止するための対策が必要となる。
【０００８】
本発明はこのような事情に鑑みてなされたもので、相対位置指示方式と絶対位置指示方式の２つのフォーカスリングをレンズ鏡胴に設けた場合に、ユーザが操作する意図のない指示方式のフォーカスリングを誤操作してしまう不具合を防止することができるレンズ鏡胴を提供することを目的とする。
【課題を解決するための手段】
【０００９】
前記目的を達成するために、請求項１に記載のレンズ鏡胴は、フォーカス調整可能な光学系を保持する鏡胴本体の外周部に回動可能に配置されるフォーカスリングであって、該フォーカスリングの回転位置に対してフォーカス調整用のフォーカスレンズの光軸方向に対する位置を相対的な位置関係で移動させる相対位置指示方式のフォーカス操作と、絶対的な位置関係で移動させる絶対位置指示方式のフォーカス操作のうち、いずれか一方の指示方式のフォーカス操作に使用される第１のフォーカスリングと、フォーカス調整可能な光学系を保持する鏡胴本体の外周部に回動可能に配置されるフォーカスリングであって、前記相対位置指示方式のフォーカス操作と、前記絶対位置指示方式のフォーカス操作のうち、前記第１のフォーカスリングと異なる指示方式のフォーカス操作に使用される第２のフォーカスリングと、前記第１のフォーカスリングを光軸方向にスライド可能に支持する支持手段と、前記支持手段によりスライド可能に支持された前記第１のフォーカスリングを第１の位置から第２の位置にスライドさせた場合に、前記第１のフォーカスリングと第２のフォーカスリングとを連結されていない状態から連結された状態にする連結手段と、前記第２のフォーカスリングの外周部を覆うカバー部材と、を備えたことを特徴としている。
【００１０】
本発明によれば、相対位置指示方式と絶対位置指示方式のフォーカスリングが鏡胴本体に２つ配置されている場合に、一方の指示方式に使用される第１のフォーカスリングをスライドさせることによって、第１のフォーカスリングを第２のフォーカスリングと連結と非連結の状態に切り替えることができるようにしている。従って、第１のフォーカスリングによって、第２のフォーカスリングを回動操作することが可能であり、第２のフォーカスリングを直接触れて回動操作する必要がない。そこで、第２のフォーカスリングをカバー部材で覆うことによって、操作者が操作する意図のない指示方式のフォーカスリングを誤操作してしまう不具合を防止することができる。
【００１１】
請求項２に記載のレンズ鏡胴は、請求項１に記載の発明において、前記第１のフォーカスリングは、前記相対位置指示方式のフォーカス操作に使用されると共に、前記第２のフォーカスリングは、前記絶対位置指示方式のフォーカス操作に使用され、前記カバー部材には、前記第２のフォーカスリングに記された撮影距離の表示を外部から視認するための開口部が形成されたことを特徴としている。
【００１２】
本発明によれば、スライド可能で、且つ、操作者が直接触れて操作する第１のフォーカスリングを相対位置指示方式のフォーカス操作に使用し、カバー部材によって覆われる第２のフォーカスリングを絶対位置指示方式のフォーカス操作に使用する場合に、一般に絶対位置指示方式のフォーカスリングに記される撮影距離の表示を本第２のフォーカスリングに適用することが有効であり、その場合に、その表示がカバー部材で視認できないことがないようにカバー部材に開口部を形成したものである。
【００１３】
請求項３に記載のレンズ鏡胴は、請求項２に記載の発明において、前記第１のフォーカスリングが前記第１の位置に設定されている場合に、前記開口部を遮蔽する遮蔽手段を備えたことを特徴としている。
【００１４】
本発明によれは、相対位置指示方式のフォーカス操作に使用される第１のフォーカスリングが第１の位置に設定されている場合には第２のフォーカスリングが回動せず、装置位置指示方式のフォーカス操作が行われるため、相対位置指示方式のフォーカス操作時には、第２ノフォーカスリングにより表示される撮影距離は無効であるため、誤認のないようにその撮影距離の表示を隠すようにしたものである。
【発明の効果】
【００１５】
本発明に係るレンズ鏡胴によれば、相対位置指示方式と絶対位置指示方式の２つのフォーカスリングがレンズ鏡胴に設けられている場合に、ユーザが操作する意図のない指示方式のフォーカスリングを誤操作してしまう不具合を防止することができる。
【発明を実施するための最良の形態】
【００１６】
以下、添付図面に従って本発明に係るレンズ鏡胴を実施するための最良の形態について説明する。
【００１７】
図１、図２はそれぞれ、本発明が適用された例えば民生用のビデオカメラ、テレビ放送用のＥＮＧカメラ、監視用カメラ等に適用されるリアフォーカス式で可変焦点距離の撮影レンズにおけるレンズ鏡胴を示した側面図及び側面断面図である。尚、これらの図では、主に民生用のビデオカメラに使用されるレンズ鏡胴を示しており、レンズ鏡胴１の後端部には、レンズ交換式のカメラにおいてカメラ本体に搭載される色分解プリズム等の光学ブロックが一体的に取り付けられている。
【００１８】
図１においてレンズ鏡胴１は、略円筒状に構成されており、その後端側の一部が図示しないカメラ本体の筐体内に挿入された状態でカメラ本体の筐体に固定されるようになっている。レンズ鏡胴１の外周部には回動可能な操作リングが設けられており、被写体側（前側）から順に第１フォーカスリング２Ａ、ズームリング４、アイリスリング６が設けられている。操作者は、それらの操作リングを回動操作することによりフォーカス調整、ズーム調整、絞り調整を行うことができるようになっている。
【００１９】
図２においてレンズ鏡胴１の固定筒（鏡胴本体）は、主として前枠１０、固定環１２、固定部材１３、中部固定筒１４、後部固定筒１６によって構成されており、前枠１０は固定環１２に、固定環１２は固定部材１３に、固定部材１３は中部固定筒１４に、中部固定筒１４は後部固定筒１６にそれぞれネジにより固定されている。後部固定筒１６はカメラ本体の筐体に固定される。これらの前枠１０、固定環１２、固定部材１３、中部固定筒１４、後部固定筒１６によってレンズ鏡胴１を構成する各部材が支持されるようになっている。
【００２０】
レンズ鏡胴１の光軸Ｏ上には、被写体の像を結像する光学系として被写体側から順に、固定レンズ（群）２０、ズーム（変倍）レンズ（群）２２、絞り２４、固定レンズ（群）２６、防振レンズ（群）２８、固定レンズ（群）３０、フォーカスレンズ（群）３２、固定レンズ（群）３４等が配置されている。
【００２１】
ズームレンズ２２は、光学系のズーム倍率（焦点距離）を変更するもので、保持枠４０に保持された状態で光軸Ｏ方向に移動可能に中部固定筒１４の内部に配置されている。ズームレンズ２２の保持枠４０にはフランジ部４２が形成されており、そのフランジ部４２を介して移動筒４４に連結されている。中部固定筒１４の内周部には中間筒４６が固定され、その中間筒４６の内周部に回転筒４８が回動可能に保持されており、移動筒４４は、回転筒４８の内周部に保持されている。
【００２２】
また、中間筒４６の内周面には光軸Ｏ方向の直進溝４６Ａが形成されると共に、回転筒４８にはカム溝（カム形状の孔）４８Ａが形成されており、移動筒４４に固定されたカムピン５０が、回転筒４８のカム溝４８Ａを挿通して中間筒４６の直進溝４６Ａに係合されている。これによって移動筒４４は、回転が規制された状態で光軸Ｏ方向に直進移動すると共に、カムピン５０がカム溝４８Ａに係合する位置に保持される。回転筒４８が回動すると、回転筒４８のカム溝４８Ａと中間筒４６の直進溝４６Ａとの交差位置がカム形状に応じた位置に変化し、その交差位置へのカムピン５０の移動によって移動筒４４が光軸Ｏ方向に進退移動する。
【００２３】
一方、中部固定筒１４の外周部には、ズームリング４が回動可能に配置されており、そのズームリング４の内周面の径方向内向きに棒状の連結軸５４が取り付けられている。この連結軸５４は、中部固定筒１４及び中間筒４６に形成された周方向の長孔（図示せず）を挿通して回転筒４８に連結されている。これにより、ズームリング４を回動操作すると、それに連動して回転筒４８が回動する。回転筒４８が回動すると、上述のように移動筒４４が進退移動し、移動筒４４と連動してズームレンズ２２が光軸Ｏ方向に移動する。従って、ズームリング４の回動操作によりズーム倍率が変更されるようになっている。尚、ズームリング４の後側には化粧環５８が中部固定筒１４に固定されており、化粧環５８には、所要のスイッチ部材等が配設されている。
【００２４】
絞り２４は、地板６０とカム板６２との間に配置された絞り羽根６４によって開閉動作可能に構成されている。中部固定筒１４と後部固定筒１６の間にはアイリスリング６が回動可能に配設され、そのアイリスリング６と、カム板６２との間が連結軸６８により連結されている。これにより、アイリスリング６の回動操作により、絞り２４が開閉動作するようになっている。
【００２５】
防振レンズ２８は、レンズ鏡胴１に生じた振動による像振れを補正（防止）するために配置されており、図示しない支持機構により光軸に直交する面内で上下方向及び左右方向に移動可能に支持されている。防振レンズ２８は保持枠７０に保持されており、光軸Ｏ方向被写体側からみてその保持枠７０の下側及び右側にはそれぞれ防振レンズ２８を上下方向に駆動するためのボイスコイルモータ（以下、ＶＣＭ）７２と左右方向に駆動する図示しないＶＣＭが連結されている。これによって、レンズ鏡胴１が上下左右に振動した際に、その振動による像振れを打ち消すように防振レンズ２８が上下左右に変位し、像振れが防止されるようになっている。
【００２６】
フォーカスレンズ３２は、光学系の焦点位置を変更するもので光軸Ｏ方向に移動可能に支持されている。また、フォーカスレンズ３２は、機械的に駆動されるのではなくＶＣＭの動力によって電動で駆動されるようになっている。フォーカスレンズ３２は保持枠７６に保持されており、光軸Ｏ方向被写体側からみたときにその保持枠７６の上側及び左側には、フォーカスレンズ３２を光軸Ｏ方向に駆動するためのＶＣＭ７８と図示しないＶＣＭとが連結されている。これらの２つのＶＣＭの動力によって図示しない光軸Ｏ方向のガイド棒に案内されて保持枠７６が光軸Ｏ方向に進退移動すると共に、それに連動してフォーカスレンズ３２が光軸Ｏ方向に進退移動するようになっている。
【００２７】
一方、詳細を後述するようにレンズ鏡胴１の前枠１０及び固定環１２の外周部には、第１フォーカスリング２Ａが回動可能に配置されると共に、固定環１２及び固定部材１３の本体部１３Ａの外周部には、第２フォーカスリング２Ｂが固定部材１３のカバー部１３Ｂに覆われた状態で回動可能に配置されている。これらの第１フォーカスリング２Ａと第２フォーカスリング２Ｂの回転位置は、後述のように所定の位置センサによって検出されるようになっており、位置センサにより検出された回転位置に対応する位置にフォーカスレンズ３２が移動するようにフォーカスレンズ３２を駆動するＶＣＭが図示しない制御部によって制御されるようになっている。これにより、フォーカスリング２Ａ又はフォーカスリング２Ｂを回動操作すると、それに連動してＶＣＭの動力によりフォーカスレンズ３２が光軸Ｏ方向に移動し、ピントが合う被写体までの距離（撮影距離）が変更されるようになっている。尚、制御部を構成する回路（ＣＰＵ等）は、カメラ本体内やレンズ鏡胴などに配置される。
【００２８】
以上の如く構成されたレンズ鏡胴１におけるフォーカス調整用の第１フォーカスリング２Ａ及び第２フォーカスリング２Ｂに関連する構成部分について以下で詳説する。図３は、図１及び図２のレンズ鏡胴１の先端側の一部を図２と異なる切断方向の断面で示した側面断面図である。同図において、レンズ鏡胴１の固定筒を構成する前枠１０、固定環１２、固定部材１３、中部固定筒１４は、上記のように一体的に連結されており、前枠１０の内側には固定レンズ２０が保持され、中部固定筒１４の内側にはズームレンズ２２が保持されている。尚、中部固定筒１４とズームレンズ２２との間に配置される構成部材等は上述したものであるため、ここでは説明を省略する。
【００２９】
前枠１０の外周部において、周方向（光軸Ｏを回転軸とする回転方向）にエンドレスに回動させることができる無端の第１フォーカスリング２Ａが設けられている。この内周部には周方向のギア部８０が形成されており、そのギア部８０に位置センサの検出軸が連結されている。図３と異なる切断方向での側面断面を示した図４に示すように、固定環１２の一部に形成された空洞部分に相対位置検出型の位置センサとして例えばインクリメンタル型のロータリエンコーダ８２（以下、エンコーダ８２と記す）が取り付けられ、そのエンコーダ８２の検出軸のギア８４が第１フォーカスリング２Ａのギア部８０に噛合されている。このように回転位置が相対位置検出型の位置センサにより検出され、且つ、エンドレスに回転させることができる第１フォーカスリング２Ａは、その絶対的な回転位置によってフォーカスレンズ３２の位置を指示するのではなく、その操作量（回転変化量）に応じた変位量だけフォーカスレンズ３２を現在位置から変位させた位置に移動させることを指示するための相対位置指示方式のフォーカスリングとして使用される。尚、このような相対位置指示方式のフォーカスリングによってフォーカスレンズを移動させるフォーカス操作の態様を相対位置指示方式のフォーカス操作というものとする。
【００３０】
一方、固定環１２と固定部材１３の本体部１３Ａの外周部において、周方向（光軸Ｏを回転軸とする回転方向）に一定角度範囲で回動させることができる第２フォーカスリング２Ｂが設けられている。図３及び図４と異なる切断方向での切断面を示した図５に示すように、第２フォーカスリング２Ｂの内周面には周方向のギア部９０が形成されている。一方、固定部材１３の一部に形成された空洞部分において、絶対位置検出型の位置センサとしてポテンショメータ９２が設置されている。そのポテンショメータ９２の検出軸のギア９４が第２フォーカスリング２Ｂのギア部９０に噛合されている。このように回転位置が絶対位置検出型の位置センサにより検出され、且つ、回動範囲が所定角度内に制限されている（端を有する）第２フォーカスリング２Ｂは、その絶対的な回転位置に対応した位置にフォーカスレンズ３２を移動させることを指示する絶対位置指示方式のフォーカスリングとして使用される。尚、このような絶対位置指示方式のフォーカスリングによってフォーカスレンズ３２を移動させるフォーカス操作の態様を絶対位置指示方式のフォーカス操作というものとする。
【００３１】
ここで、構成については後述するが、本レンズ鏡胴１では、第１フォーカスリング２Ａを光軸Ｏ方向にスライド動作させることができると共に、第１フォーカスリング２Ａを光軸Ｏ方向の前後にスライドさせた際の前後の２箇所に他の位置よりもスライド動作が抑止される規定位置が設けられている。そして、第１フォーカスリング２Ａを前側の規定位置（以下、前側規定位置）に設定することによって、相対位置指示方式のフォーカス操作を選択することができ、第１フォーカスリング２Ａを後側の規定位置（以下、後側規定位置）に設定することによって、絶対位置指示方式のフォーカス操作を選択することができるようになっている。また、第１フォーカスリング２Ａを後側規定位置に設定して絶対位置指示方式を選択すると、第１フォーカスリング２Ａが第２フォーカスリング２Ｂに連結され、第１フォーカスリング２Ａの回動操作によって第２フォーカスリング２Ｂを間接的に回動操作することができるようになっている。
【００３２】
図３〜図５では、第１フォーカスリング２Ａを前側規定位置に設定した状態を示しており、これに対して図４の側面断面図と同じ切断方向の断面で示した図６は第１フォーカスリング２Ａを後側規定位置に設定した状態を示している。これらの図に示すように第１フォーカスリング２Ａの前側の周方向全体又は一部において、断面が２又状に分けられた突部９６、９８が形成され、そのうち内側の突部９８の内周面側に突起９８Ａが形成されている。尚、前枠１０の前側には前面枠１００が取り付けられており、その前面枠１００の側壁部１００Ａと前枠１０との間に第１フォーカスリング２Ａの突部９６、９８が嵌入されるようになっている。
【００３３】
これに対して前枠１０の外周面には、径方向に隆起した突条部１０Ａが周方向に全周に渡って形成されている。図４のように第１フォーカスリング２Ａを前側規定位置に設定している状態では、前枠１０の突条部１０Ａの前側端部に第１フォーカスリング２Ａの突起９８Ａが係止されて第１フォーカスリング２Ａの後側へのスライド動作が抑止されている。また、第１フォーカスリング２Ａの前側へのスライド動作は、第１フォーカスリング２Ａに突設されたギア部８０が前枠１０の段差に当接することによって規制されている。これによって、図３の状態では第１フォーカスリング２Ａの光軸Ｏ方向へのスライド動作が抑止される。
【００３４】
図４の状態において第１フォーカスリング２Ａに対して後方向に一定以上の力を加えると、第１フォーカスリング２Ａの突起９８Ａと前枠１０の突条部１０Ａの前側端部とによるスライド動作の規制が解除され、図６のように第１フォーカスリング２Ａの後端部と、第２フォーカスリング２Ｂの前端部とが当接する後側規定位置までスライド可能となる。第１フォーカスリング２Ａを後側規定位置に設定した状態では、前枠１０の突条部１０Ａの後側端部に第１フォーカスリング２Ａの突起９８Ａが係止されて第１フォーカスリング２Ａの前側へのスライド動作が抑止されている。第１フォーカスリング２Ａの後側へのスライド動作は第１フォーカスリング２Ａの後端部と、第２フォーカスリング２Ｂの前端部との当接によって抑止されている。これによって、図６の状態では第１フォーカスリング２Ａの光軸Ｏ方向へのスライド動作が抑止される。
【００３５】
また、第１フォーカスリング２Ａの後端面と第２フォーカスリング２Ｂの前端面には、図７（Ａ）、（Ｂ）に示すように互いに噛合可能なギア１１０、１１２が形成さており、第１フォーカスリング２Ａを光軸Ｏ方向にスライドさせてそれらのギアの連結と連結解除を可能にすることにより、クラッチとして作用するようになっている。図３〜図５のように第１フォーカスリング２Ａを前側規定位置に設定した状態では図７（Ａ）のようにそれらのギア１１０、１１２の連結が解除されており、第１フォーカスリング２Ａを回動操作しても第２フォーカスリング２Ｂは回動せず、第１フォーカスリング２Ａのみが回動する。
【００３６】
一方、図６のように第１フォーカスリング２Ａを後側規定設定すると、図７（Ｂ）のようにそれらのギア１１０、１１２が連結され、第１フォーカスリング２Ａを回動操作すると、それに連動して第２フォーカスリング２Ｂが回動する。これによって、第１フォーカスリング２Ａを後側規定位置に設定して絶対位置指示方式のフォーカス操作を選択した場合には、第１フォーカスリング２Ａの回動操作によって第２フォーカスリングを間接的に回動操作することができるようになっている。
【００３７】
以上のように相対位置指示方式と絶対位置指示方式のフォーカス操作を選択する操作と、フォーカス操作自体を、選択したフォーカス操作の方式にかからわらず全て第１フォーカスリング２Ａによって行うことができるため、方式の切替えからその後のフォーカス操作への移行を迅速に行うことができる。
【００３８】
また、本レンズ鏡胴１には、フォーカスレンズ３２を制御する図示しない制御部において、相対位置指示方式と絶対位置指示方式のうちいずれのフォーカス操作が選択されているかを検知するため、第１フォーカスリング２Ａが前側規定位置と後側規定位置のいずれの位置に設定されているかを検出するセンサが設けられている。例えば、図４、図６に示すように前枠１０の径方向の突部に透過型のフォトインタラプタ１２０が設置されている。このフォトインタラプタ１２０は、図中上側と下側とで対向配置された発光部１２０Ａと受光部１２０Ｂとを備えている。一方、第１フォーカスリング２Ａの先端には、遮光板１２２が設置されており、図４のように第１フォーカスリング２Ａが前側規定位置に設定されている状態ではその遮光板１２２がフォトインタラプタ１２０の発光部１２０Ａと受光部１２０Ｂとの間に挿入され、発光部１２０Ａから出射された光が遮光板１２２で遮断される。このとき受光部１２０Ｂでは発光部１２０Ａから出射された光が検出されず、フォトインタラプタ１２０から例えばオフ信号が出力される。
【００３９】
これに対して、図６のように第１フォーカスリング２Ａが後側規定位置に設定さている状態では遮光板１２２がフォトインタラプタ１２０の発光部１２０Ａと受光部１２０Ｂとの間から退避した位置にあり、受光部１２０Ｂでは発光部１２０Ａから出射された光が検出される。このときフォトインタラプタ１２０から例えばオン信号が出力される。
【００４０】
従って、フォトインタラプタ１２０から出力されるオン／オフ信号によって第１フォーカスリング２Ａが前側規定位置と後側規定位置のいずれに設定されているかを検知することができるようになっている。
【００４１】
フォーカスレンズ３２を制御する制御部は、上記にようにフォトインタラプタ１２０からのオン／オフ信号を取得して、第１フォーカスリング２Ａが前側規定位置と後側規定位置のいずれに設定されているかを検出する。もし、前側規定位置に設定されていると検出した場合（フォトインタラプタ１２０からオフ信号を取得した場合）には、相対位置指示方式のフォーカス操作が選択されたものとして、第１フォーカスリング２Ａの回転位置に基づいてフォーカスレンズ３２の位置を制御する。
【００４２】
即ち、制御部は、第１フォーカスリング２Ａに連結されたエンコーダ８２からのパルス信号をカウンタによって計数し、計数したカウント値の変化量に対応する変位量分だけフォーカスレンズ３２が現在位置から移動するようにフォーカスレンズ３２を駆動するためのＶＣＭ（図２に示したＶＣＭ７８及び図示しないＶＣＭ）を制御する。
【００４３】
これによれば、第１フォーカスリング２Ａの操作を開始した時点でのフォーカスレンズ３２の位置にかかわらず、現在設定されている位置から第１フォーカスリング２Ａの操作量に応じた変位量でフォーカスレンズ３２を移動させることができる。また、第１フォーカスリング２Ａはエンドレスに回転させることができるため、第１フォーカスリング２Ａの絶対的な回転位置とフォーカスレンズ３２の位置との対応関係が変化してもフォーカスレンズ３２を至近端から無限遠端の位置まで確実移動させることができる。従って、カメラが自動でフォーカスレンズ３２を合焦位置に移動させるオートフォーカス機能を備えている場合に、そのオートフォーカス機能の実行により第１フォーカスリング２Ａや第２フォーカスリング２Ｂの操作とは無関係にフォーカスレンズ３２が移動した場合であっても、相対位置指示方式のフォーカス操作を選択していれば、マニュアルフォーカスに切り替えた際に、オートフォーカスによって設定された位置を有効に引き継いでオートフォーカスによって設定された位置から第１フォーカスリング２Ａを操作した分だけフォーカスレンズ３２を変位させることができる。
【００４４】
一方、制御部は、フォトインタラプタ１２０からのオン／オフ信号によって第１フォーカスリング２Ａが後側規定位置に設定されていると検出した場合（フォトインタラプタ１２０からオン信号を取得した場合）には、絶対位置指示方式のフォーカス操作が選択されたものとして、第２フォーカスリング２Ｂの回転位置に基づいてフォーカスレンズ３２の位置を制御する。
【００４５】
即ち、制御部は、第２フォーカスリグ２Ｂに連結されたポテンショメータ９２からの電圧信号を取得し、その電圧信号の値に対して予め対応付けられた位置にフォーカスレンズ３２が移動するようにフォーカスレンズ３２を駆動するためのＶＣＭを制御する。
【００４６】
これによれば、第２フォーカスリング２Ｂの回動範囲は、フォーカスレンズ３２が至近端と無限遠端となる端の範囲に制限されており、操作者は、第２フォーカスリング２Ｂが端に到達したときの操作感によってフォーカスレンズ３２が至近端又は無限遠端に到達したことを認識することができる。このようなフォーカスリングによるフォーカス操作は、本職のカメラマン等が使い慣れた方式であり、相対位置指示方式のフォーカス操作に違和感がある操作者にとって好適である。
【００４７】
尚、オートフォーカス機能によるフォーカス調整は、第１フォーカスリング２Ａが前側規定位置に設定されている場合、即ち、相対位置指示方式のフォーカス操作が選択されている場合にのみ実行できるようにし、絶対位置指示方式のフォーカス操作が選択されている場合にはオートフォーカス機能の実行を禁止するようにしてもよい。また、マクロ撮影が可能な場合において、そのマクロ撮影も、第１フォーカスリング２Ａが前側規定位置に設定されている場合にのみ実行できるようにしてもよい。
【００４８】
ところで、上記レンズ鏡胴１の構成によれば、操作者が第２フォーカスリング２Ｂを直接触れて操作する必要がない。そこで、本レンズ鏡胴１では、図３等に示すように第２フォーカスリング２Ｂの外周面側部全体が、固定部材１３の本体部１３Ａに一定形成されたカバー部１３Ｂによって覆われるようになっている。これによって、第２フォーカスリング２Ｂを操作者が直接触れることができず、操作者が意図せずに第２フォーカスリング２Ｂを動かしてしまう誤操作が防止されている。
【００４９】
また、絶対位置指示方式のフォーカス操作が選択された場合に第２フォーカスリング２Ｂの絶対的な回転位置は、撮影距離（被写体距離）と一対一に対応している。そこで、絶対位置指示方式のフォーカス操作が選択されている場合には図１に示されているように第２フォーカスリング２Ｂの外周部を覆う固定部材１３のカバー部１３Ｂの窓１３０から第２フォーカスリング２Ｂに記された撮影距離の表示が視認できるようになっている。
【００５０】
図８は、第２フォーカスリング２Ｂ及び固定部材１３のカバー部１３Ｂにおいて撮影距離の表示が行われる窓１３０の周辺部分を拡大して示した分解斜視図であり、図９及び図１０は、第１フォーカスリング２Ａ及び第２フォーカスリング２Ｂの周辺部において、固定部材１３のカバー部１３Ｂの窓１３０を通過する断面を示した側面断面図である。図８に示すように第２フォーカスリング２Ｂの外周部には回転位置に応じた撮影距離の値が記されている。一方、固定部材１３のカバー部１３Ｂには、図９、図１０に示すように内周面から外周面まで貫通した矩形状の孔が形成され、その外周面側に図８〜図１０（及び図１）に示す窓１３０が取り付けられている。これにより、第２フォーカスリング２Ｂに記された撮影距離の値がカバー部１３Ｂの窓１３０から視認できるようになっている。また、図８に示すようにカバー部１３Ｂの外周面には第２フォーカスリングに記された撮影距離の各値のうちのその回転位置に対応する撮影距離の値を示す指標が記されている。第１フォーカスリング２Ａが後側規定位置に設定されて絶対位置指示方式の第２フォーカスリング２Ｂによるフォーカス操作が有効となっている場合には、この撮影距離の表示が有効であり、窓１３０を介してその値を確認することができるようになっている。
【００５１】
一方、第１フォーカスリング２Ａが前側規定位置に設定されて相対位置指示方式のフォーカス操作が選択されている場合には、第２フォーカスリング２Ｂの回転位置とは無関係な位置にフォーカスレンズ３２が移動するため、第２フォーカスリング２Ｂによる撮影距離の表示は無効である。そこで、第１フォーカスリングが図１０のように前側規定位置に設定されている場合には、窓１３０を遮蔽板１３６によって遮蔽して撮影距離の表示が隠されるようになっている。
【００５２】
遮蔽板３６は、図８に示すように固定部材１３のカバー部１３Ｂにおいて、窓１３０の裏側（内周側）に光軸Ｏ方向に形成されたガイド溝１３８、１３８に沿って光軸Ｏ方向にスライド可能に支持されている。この遮蔽板１３６の先端部には内周面側に突出した突部１３６Ａが形成されており、その突部１３６Ａが、図９、図１０に示すように第１フォーカスリング２Ａの後端部に形成された周方向に溝１４０に摺動可能に係合されている。これによって、第１フォーカスリング２Ａの光軸Ｏ方向のスライド動作に連動して遮蔽板１３６が光軸Ｏ方向にスライド動作するようになっている。
【００５３】
遮蔽板１３６には図８に示すように窓１３０と略一致した大きさの開口１３６Ｂが形成されており、その開口１３６Ｂの窓１３０に対する位置が、第１フォーカスリング２Ａの位置に移動する。
【００５４】
これによって次のように撮影距離の表示が有効又は無効に切り替えられる。図９に示すように第１フォーカスリング２Ａを後側規定位置に設定して絶対位置指示方式のフォーカス操作を選択している場合には、遮蔽板１３６の開口１３６Ｂが窓１３０（孔１３２）の位置に配置され、第２フォーカスリング２Ｂに記された撮影距離の値を窓１３０を介して視認することができるようになっている。図１１（Ａ）、（Ｂ）は、その固定部材１３のカバー部１３Ｂにおける窓１３０を正面から示すと共に、窓１３０の裏面側に配置される遮蔽板１３６を斜線で示しており、第１フォーカスリング２Ａを後側規定位置に設定している場合には、図１１（Ａ）に示すように窓１３０から第２フォーカスリング２Ｂの撮影距離の値を視認することができ、指標１３４の位置に対応する値が現在設定されている撮影距離を示している。
【００５５】
一方、図１０に示すように第１フォーカスリング２Ａを前側規定位置に設定して相対位置指示方式のフォーカス操作を選択している場合には、遮蔽板１３６の開口１３６Ｂが窓１３０（孔１３２）の位置からずれた状態となり、遮蔽板１３６の開口１３６Ｂ以外の部分よって窓１３０が遮蔽される。この場合、図１１（Ｂ）に示すように第２フォーカスリング２Ｂに記された撮影距離の値を視認することができない。
【００５６】
従って、相対位置指示方式のフォーカス操作を選択している場合に、窓１３０を介して正しくない撮影距離が表示されることにより、撮影距離を誤認識する不具合を回避することができる。また、窓１３０を介して撮影距離が表示されているか否かで、相対位置指示方式のフォーカス操作と絶対位置指示方式のフォーカス操作のいずれが選択されているかも認識することができる。
【００５７】
以上、上記実施の形態では、スライド可能な第１フォーカスリング２Ａを相対位置指示方式のフォーカスリングとし、カバー部材（固定部材１３のカバー部１３Ｂ）により覆われる第２フォーカスリング２Ｂを絶対位置指示方式のフォーカスリングとしたが、逆であってもよい。その場合に、絶対位置指示方式の第１フォーカスリング２Ａは回動範囲が規制されるが、第１フォーカスリング２Ａをスライドさせて相対位置指示方式の第２フォーカスリングに連結した場合には、第１フォーカスリング２Ａの回動範囲の規制を解除する構造としておく。
【００５８】
また、本発明は、任意のカメラに使用される光学系又は任意の構成の光学系においてフォーカス調整可能な光学系を保持するレンズ鏡胴において適用することができる。
【００５９】
また、
【図面の簡単な説明】
【００６０】
【図１】図１は、本発明に係るレンズ鏡胴の外観を示した側面図である。
【図２】図２は、本発明に係るレンズ鏡胴の側面断面図である。
【図３】図３は、本発明に係るレンズ鏡胴の要部の側面断面図である。
【図４】図４は、本発明に係るレンズ鏡胴の要部を他の切断方向の断面で示した側面断面図である。
【図５】図５は、本発明に係るレンズ鏡胴の要部を他の切断方向の断面で示した側面断面図である。
【図６】図６は、本発明に係るレンズ鏡胴の要部を図４と同じ切断方向の断面で示した側面断面図であり、第１フォーカスリングを後側規定位置に設定した状態を示した側面断面図である。
【図７】図７は、第１フォーカスリングの後端部と第２フォーカスリングの前端部を拡大して示した図である。
【図８】図８は、第２フォーカスリング及び固定部材のカバー部の一部を拡大して示した分解斜視図である。
【図９】図９は、第１フォーカスリング及び第２フォーカスリングの周辺部において、固定部材のカバー部に設けられた窓を通過する断面を示した側面断面図であり、第１フォーカスリングが後側規定位置に設定されている状態を示した側面断面図である。
【図１０】図１０は、第１フォーカスリング及び第２フォーカスリングの周辺部において、固定部材のカバー部に設けられた窓を通過する断面を示した側面断面図であり、第１フォーカスリングが前側規定位置に設定されている状態を示した側面断面図である。
【図１１】図１１は、固定部材のカバー部の窓における撮影距離の表示に関する説明に使用した説明図である。
【符号の説明】
【００６１】
１…レンズ鏡胴、２Ａ…第１フォーカスリング、２Ｂ…第２フォーカスリング、４…ズームリング、６…アイリスリング、１０…前枠、１２…固定環、１３…固定部材、１３Ａ…本体部、１３Ｂ…カバー部、１４…中部固定筒、１６…後部固定筒、２０、２６、３０、３４…固定レンズ、２２…ズームレンズ、２４…絞り、２８…防振レンズ、３２…フォーカスレンズ、８０、９０…ギア部、８２…エンコーダ、８４、９４…ギア、９２…ポテンショメータ、１２０…フォトインタラプタ
【図１】
0004678597.tif 000002
【図２】
0004678597.tif 000003
【図３】
0004678597.tif 000004
【図４】
0004678597.tif 000005
【図５】
0004678597.tif 000006
【図６】
0004678597.tif 000007
【図７】
0004678597.tif 000008
【図８】
0004678597.tif 000009
【図９】
0004678597.tif 000010
【図１０】
0004678597.tif 000011
【図１１】
0004678597.tif 000012